(57)【要約】【課題】ビニールハウスの骨組をなす母屋パイプと、妻面を形成する妻部パイプとが直交する妻面の位置で連結する連結金具において、経年使用で母屋パイプが突き出す端部を被覆して妻面の保全を図る妻面保護カバーを提供する。【解決手段】ビニールハウス２の骨組みを形成する母屋パイプ３と、前記ビニールハウス２の妻面２０を形成する妻部パイプ４とが直交する妻面２０の位置Ｐで連結する連結金具１に対し、前記母屋パイプ３の突き出し端部３０を前記連結金具１と共に被覆して保護するのに必要十分な大きさと形状を有するカバー本体部５に、前記連結金具１に係止自在な係止片６を備えて成る。【選択図】図１
2020005543.tif 000002
【特許請求の範囲】
【請求項１】
ビニールハウスの骨組みを形成する母屋パイプと、前記ビニールハウスの妻面を形成する妻部パイプとが直交する妻面の位置で連結する連結金具に対し、前記母屋パイプの突き出し端部を前記連結金具と共に被覆して保護するのに必要十分な大きさと形状を有するカバー本体部に、前記連結金具に係止自在な係止片を備えて成ることを特徴とする、ビニールハウスの妻面保護カバー。
【請求項２】
前記カバー本体部は、上端縁及び左右の両端縁が内方に湾曲した皿状に形成され、その湾曲する湾曲上端縁と湾曲左端縁及び湾曲右端縁により、母屋パイプの突き出し端部を含む連結金具を外方から被覆する構成であることを特徴とする、請求項１に記載したビニールハウスの妻面保護カバー。
【請求項３】
前記係止片は、カバー本体部の湾曲左端縁及び湾曲右端縁で各々内方に折曲された左端係止片及び右端係止片と、当該カバー本体部の下端縁で延設された舌状の下端係止片とより成り、前記カバー本体部の連結金具への当接状態で、前記の左端係止片及び右端係止片が連結金具の両側に係止されると共に、下端係止片が折曲されて連結金具の下側に係止される構成であることを特徴とする、請求項１又は２に記載したビニールハウスの妻面保護カバー。
【請求項４】
前記カバー本体部の下端係止片に長孔が穿設されており、そのカバー本体部が連結金具へ当接される下端係止片の折曲状態で、母屋パイプの突き出し端部を目指した連結金具の下面に対し、前記下端係止片の長孔を通じてネジ止め自在に構成されていることを特徴とする、請求項１〜３のいずれか１項に記載したビニールハウスの妻面保護カバー。
【発明の詳細な説明】
【技術分野】
【０００１】
この発明は、図８に示したようなビニールハウスの骨組みを垂木パイプと共に形成する母屋パイプと、当該ビニールハウスの妻面を形成する妻部パイプとが直交する妻面の位置で連結する連結金具に対し、経年使用で前記母屋パイプが突き出す端部を被覆して保護するビニールハウスの妻面保護カバーの技術分野に属する。
【背景技術】
【０００２】
ビニールハウス２の骨組みは、通例、図８に示したように、棟方向に間隔をあけて並立するように配置された多数のほぼ同形・同大のアーチ形の垂木パイプ９・・・と、その垂木パイプ９に沿って棟方向へ配置した母屋パイプ３・・・とを、両者の交差部において連結具で連結することにより組み立てる。そして、前記骨組みの外側の棟方向へ配置したシート止着材を固定し、同骨組みの外周面を被覆するプラスチックフィルムシートＳを、前記シート止着材へ、波形状をなす弾性な止め線にて止着することによりトンネル形状に構築されている。
【０００３】
前記ビニールハウス２の妻面２０においては、最外端に位置する前記アーチ形の垂木パイプ９が、妻面２０に配置された柱パイプ８で支持されると共に、シート止着材８´と固定された後、やはりプラスチックフィルムシートＳが、前記シート止着材８´に弾性な止め線で止着されている。
この妻面２０にて、上記した骨組みをなす母屋パイプ３が、妻面２０の外枠をなす最外端の垂木パイプ９たる妻部パイプ４と直交する妻面の位置Ｐで、連結金具１により連結される。しかし、経年使用による振動等に起因して、前記の母屋パイプ３の端部３０が妻面２０において突き出す（飛び出す）自体が生じることがある。
【先行技術文献】
【特許文献】
【０００４】
【特許文献１】実開平２−１２７１５１号公報
【発明の概要】
【発明が解決しようとする課題】
【０００５】
上記のように振動等により、母屋パイプ３の端部３０がビニールハウス２の妻面２０において飛び出す母屋パイプ３の突き出し端部３０を、そのまま放っておいては、妻面２０で被覆されるプラスチックフィルムシートＳや、作業者を傷付ける虞れがあるが、それを防止する有効な技術は現状見当たらない。
これに関連し、特許文献１（実開平２−１２７１５１号公報）には、ビニールハウスのアーチパイプ及び棟木などに、その外周面のほぼ半周以上を包被する被覆保護材を着脱可能に取付けたことを特徴とするハウス用被覆保護材が開示されている。
しかし、それはビニールハウスのアーチパイプや棟木の外周面のほぼ半周以上を包被する被覆保護材であって、ビニールハウスの妻面を形成する妻部パイプが直交する妻面の位置で連結する連結金具において、前記母屋パイプの突き出し端部を連結金具と共に被覆して保護するものではない。
【０００６】
したがって、本発明は上記のような問題点を解決すべくなされたもので、その目的は、ビニールハウスの骨組みを垂木パイプと共に形成する母屋パイプと、ビニールハウスの妻面を形成する妻部パイプとが直交する妻面の位置で連結する連結金具において、経年使用で母屋パイプが突き出す端部を、連結金具と共に簡単に被覆でき、妻面の保護を図るビニールハウスの妻面保護カバーを提供することである。
【課題を解決するための手段】
【０００７】
上記の課題を解決するための手段として、請求項１に記載した発明は、ビニールハウス２の骨組みを形成する母屋パイプ３と、前記ビニールハウス２の妻面２０を形成する妻部パイプ４とが直交する妻面２０の位置Ｐで連結する連結金具１に対し、前記母屋パイプ３の突き出し端部３０を前記連結金具１と共に被覆して保護するのに必要十分な大きさと形状を有するカバー本体部５に、前記連結金具１に係止自在な係止片６を備えて成ることを特徴とする、ビニールハウスの妻面保護カバーである。
【０００８】
請求項２に記載した発明は、前記カバー本体部５について、上端縁及び左右の両端縁が内方に湾曲した皿状に形成され、その湾曲する湾曲上端縁５０と湾曲左端縁５１及び湾曲右端縁５２により、母屋パイプ３の突き出し端部３０を含む連結金具１を外方から被覆する構成であることを特徴とする、請求項１に記載したビニールハウスの妻面保護カバーである。
【０００９】
請求項３に記載した発明は、前記係止片６について、カバー本体部５の湾曲左端縁５１及び湾曲右端縁５２で各々内方に折曲された左端係止片６１及び右端係止片６２と、当該カバー本体部５の下端縁で延設された舌状の下端係止片６３とより成り、前記カバー本体部５の連結金具１への当接状態で、前記の左端係止片６１及び右端係止片６２が連結金具１の両側に係止されると共に、下端係止片６３が折曲されて連結金具１の下側に係止される構成であることを特徴とする、請求項１又は２に記載したビニールハウスの妻面保護カバーである。
【００１０】
請求項４に記載した発明は、前記カバー本体部５の下端係止片６３に長孔６４が穿設されており、そのカバー本体部５が連結金具１へ当接される下端係止片６３の折曲状態で、母屋パイプ３の突き出し端部３０を目指した連結金具１の下面１１に対し、前記下端係止片６３の長孔６４を通じてネジ止め（７）自在に構成されていることを特徴とする、請求項１〜３のいずれか１項に記載したビニールハウスの妻面保護カバーである。
【発明の効果】
【００１１】
本発明のビニールハウスの妻面保護カバーは、ビニールハウスの骨組みを形成する母屋パイプと、ビニールハウスの妻面を形成する妻部パイプとが直交する妻面の位置で連結する連結金具に対し、母屋パイプの突き出し端部を被覆して保護するのに必要十分な大きさと形状を有するカバー本体部に、前記連結金具に係止自在な係止片を備えて成るので、コンパクト設計ながら、経年使用で母屋パイプが妻面で突き出す端部を簡便且つ確実に被覆して取り付けられる利便性に優れ、ビニールハウスの妻面の保護を図ることができる。
【図面の簡単な説明】
【００１２】
【図１】本発明のビニールハウスの妻面保護カバーを母屋パイプの突き出し端部に被覆した状態を下方から示した斜視図である。
【図２】図２の状態から連結金具へ固着した状態を下方から示した斜視図である。
【図３】ビニールハウスの妻面保護カバーを示した斜視図である。
【図４】妻面保護カバーの母屋パイプの突き出し端部への被覆状態を示した正面図である。
【図５】Ａは妻面保護カバーを示した正面図、ＢはＡの底面図である。
【図６】Ａは異なる妻面保護カバーを示した正面図、ＢはＡの側面図である。ＣはＡの裏面図である。
【図７】妻面保護カバーの妻面頂部での実施状況を示した部分斜視図である。
【図８】ビニールハウスの妻面の構造を示した全体正面図である。
【発明を実施するための最良の形態】
【００１３】
本実施形態のビニールハウスの妻面保護カバーは、図８に示したように、ビニールハウス２の妻面２０で、同ビニールハウス２の骨組みを垂木パイプ９と共に形成する母屋パイプ３と、最外端に位置して妻面２０の外枠をなすアーチ形の垂木パイプ９たる妻部パイプ４とが、直交する妻面２０の符号Ｐで示した位置で連結する連結金具１に対し、前記母屋パイプ３の突き出し端部３０を前記連結金具１と共に被覆して保護するものである（図１、図７）。
なお、妻面２０では、ビニールハウス２の骨組みを母屋パイプ３と形成すると共に最外端に位置するアーチ形の垂木パイプ９が、妻面２０に配置された柱パイプ８で支持され、シート止着材８´と固定された後、プラスチックフィルムシートＳが、前記シート止着材８´に弾性な止め線で止着されている。
【００１４】
図３〜図６に示した妻面保護カバーは、厚さが１ｍｍ程度の鋼板のプレス加工品として製作され、全体が倒立Ｕ字形状のカバー本体部５と、その下端に舌状に垂れ下がったような下端係止片６３と、左右に折曲して形成された係止片６１、６２とで構成されている。
前記カバー本体部５は、ビニールハウス２の妻面２０において、母屋パイプ３の突き出し端部３０を前記連結金具１と共に被覆して保護するのに必要十分な大きさと形状を有し、前記係止片６は、連結金具１に係止自在である。
【００１５】
すなわち、図５に示したカバー本体部５は、高さが５０ｍｍ、幅寸が６０ｍｍで、その上端縁及び左右の両端縁は、それぞれ最大１０ｍｍ内方に湾曲し、その上端縁で湾曲する湾曲上端縁５０と、左端縁で湾曲する湾曲左端縁５１及び右端縁で湾曲する湾曲右端縁５２とにより、全体形状が皿状に形成されている（図３、図６）。よって、当該湾曲上端縁５０と湾曲左端縁５１及び湾曲右端縁５２により、母屋パイプ３の突き出し端部３０を含む連結金具１を外方から被覆することができる（図１、図７）。
【００１６】
係止片６は、前記したカバー本体部５の湾曲左端縁５１及び湾曲右端縁５２の位置から各々内方に２１ｍｍ（高さは８ｍｍ）折曲して形成された左端係止片６１及び右端係止片６２と（図５Ｂ、図６Ｂ参照）、当該カバー本体部５の下端縁の中央位置で、下方に４０ｍｍ（幅寸は１２ｍｍ）延設して形成された舌状の下端係止片６３とで構成されている。その下端係止片６３の中央には、長さが３６ｍｍ、幅寸が３ｍｍの長孔６４が穿設されている（図５Ａ、図６Ｃ参照）。
なお、図６に示したような表面に複数突設されたリブ５３付きのカバー本体部５も好適に実施される。被覆されるプラスチックフィルムシートＳとの間で生じる結露を流下させるべく、リブ５３によって同シートＳを浮かせるためである。
【００１７】
したがって、図１及び図４に示したようなカバー本体部５の連結金具１への当接状態で、母屋パイプ３の突き出し端部３０が、連結金具１と一緒に被覆され、前記の左端係止片６１及び右端係止片６２が連結金具１の両側に係止される。
つづいて、図２に示したように、当該左右の係止片６１、６２を連結金具１の内方に若干折曲して係止する。と共に、下端係止片６３を連結金具１の下面１１に大きく折曲させて係止（当接）する。その際、連結金具１の下面１１に形成の凹部１０に、前記下端係止片６３の長孔６４を合致させ、下端係止片６３の長孔６４を通じてドリルネジ（又はセルフタッピングネジ、ビス等）７で止める。かくして、簡単に母屋パイプ３の突き出し端部３０を、連結金具１と共に被覆して保護することができる。
【００１８】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００１９】
１        連結金具
１０      凹部
１１      下面
２        ビニールハウス
２０      妻面
Ｐ        妻面の位置
３        母屋パイプ
３０      突き出し端部
４        妻部パイプ
５        カバー本体部
５０      湾曲上端縁
５１      湾曲左端縁
５２      湾曲右端縁
５３      リブ
６        係止片
６１      左端係止片
６２      右端係止片
６３      下端係止片
６４      長孔
７        ネジ
【図１】
2020005543.tif 000003
【図２】
2020005543.tif 000004
【図３】
2020005543.tif 000005
【図４】
2020005543.tif 000006
【図５】
2020005543.tif 000007
【図６】
2020005543.tif 000008
【図７】
2020005543.tif 000009
【図８】
2020005543.tif 000010